(57)【要約】【課題】屋根の桁行き方向についてオーバーラップ量を自在に調整することができる屋根瓦を提供すること。【解決手段】瓦本体３と、衿側の側縁部４と、桟側の側縁部５とを備え、衿側の側縁部４には瓦本体３から溢れた雨水が流下する雨水流下溝１５が尻部から頭部にかけて形成されるとともに、雨水流下溝１５と瓦本体３との連接位置に幅方向に所定の長さを有する段丘部１０が形成された屋根瓦１であって、敷設した際に屋根の桁行き方向において当該一の屋根瓦１の衿側の側縁部４を隣接して葺かれた当該他の屋根瓦１の桟側の側縁部５の下面にオーバーラップさせることで当該一の屋根瓦１の雨水流下溝１５を桟側の側縁部５によって上方から被覆するとともに、その被覆状態において桟側の側縁部５を段丘部１０上に配置させるようにした。【選択図】      図６
2006291515.tif 000002
【特許請求の範囲】
【請求項１】
瓦本体と、同瓦本体衿側の第１の側縁部と、同瓦本体桟側の第２の側縁部とを備え、同第１の側縁部には同瓦本体から溢れた雨水が流下する雨水流下溝が尻部から頭部にかけて形成されるとともに、同雨水流下溝と同瓦本体との連接位置に幅方向に所定の長さを有する連接部が形成された屋根瓦であって、
敷設した際に屋根の桁行き方向において当該一の屋根瓦の前記第１の側縁部を隣接して葺かれた当該他の屋根瓦の前記第２の側縁部の下面にオーバーラップさせることで当該一の屋根瓦の前記雨水流下溝を同第２の側縁部によって上方から被覆するとともに、同被覆状態において同第２の側縁部を当該一の屋根瓦の前記連接部上に配置させることで当該他の屋根瓦を当該一の屋根瓦に対して桁行き方向に相対的に進退可能としたことを特徴とする屋根瓦。
【請求項２】
瓦本体と、同瓦本体衿側の第１の側縁部と、同瓦本体桟側の第２の側縁部とを備え、同第１の側縁部には同瓦本体から溢れた雨水が流下する雨水流下溝が尻部から頭部にかけて形成されるとともに、同雨水流下溝と同瓦本体との連接位置に幅方向に所定の長さを有する連接部が形成され、敷設した際に屋根の流れ方向において上位に配置される瓦同士の前記両側縁部のオーバーラップ部が下位の瓦の桁行き方向略中央に配置されるように千鳥状に葺き上げられる屋根瓦であって、
前記瓦本体の尻側上面略中央位置に係合フックを形成し、同係合フックを葺き上げ状態において上位に配置される瓦の前記第１又は第２の側縁部の側面側に形成された係合部と係合させて上位に配置される瓦の頭側の浮き上がりを防止させる一方、
敷設した際に屋根の桁行き方向において当該一の屋根瓦の前記第１の側縁部を隣接して葺かれた当該他の屋根瓦の前記第２の側縁部の下面にオーバーラップさせることで当該一の屋根瓦の前記雨水流下溝を同第２の側縁部によって上方から被覆するとともに、同被覆状態において同第２の側縁部を当該一の屋根瓦の前記連接部上に配置させることで当該他の屋根瓦を当該一の屋根瓦に対して桁行き方向に相対的に進退可能とし、
少なくとも当該他の屋根瓦の前記第２の側縁部先端が前記連接部上に配置されている状態では前記係合フックと係合部とが係合するようになっていることを特徴とする屋根瓦。
【請求項３】
前記連接部は前記瓦本体と前記雨水流下溝との連接位置に同瓦本体表面よりも盛り上がって形成された段丘部であることを特徴とする請求項１又は２に記載の屋根瓦。
【請求項４】
前記桁行き方向でオーバーラップさせた状態で前記雨水流下溝の側壁上縁は前記第２の側縁部裏面に近接することを特徴とする請求項１〜３のいずれかに記載の屋根瓦。
【請求項５】
前記連接部上面には前記第２の側縁部端部の桁行き方向の位置の目安とするための目標が形成されていることを特徴とする請求項１〜４のいずれかに記載の屋根瓦。
【発明の詳細な説明】
【技術分野】
【０００１】
本発明は、建築構造物の屋根仕上げに使用される各種屋根瓦に関し、詳しくは桁行き方向のオーバーラップ量の調整が可能な屋根瓦に関するものである。
【背景技術】
【０００２】
従来から屋根の瓦葺き工事においては葺設時に屋根の桁行き方向では屋根瓦の衿側が隣接して葺かれた屋根瓦の桟側の下面にオーバーラップするとともに、屋根瓦の桟側が後続した葺かれた屋根瓦の衿側上面にオーバーラップするように配置される、また、屋根の流れ方向では屋根瓦の頭側が隣接して葺かれた屋根瓦の尻側上面にオーバーラップするとともに当該屋根瓦に後続して葺かれた屋根瓦の頭側が当該屋根瓦の尻側上面にオーバーラップするように配置される。このように桁行き方向及び屋根の流れ方向にオーバーラップさせることで、屋根瓦の隙間からの雨水の浸入が防止されるようになっている。屋根の施工においては一般にまず軒瓦と袖瓦をを葺き上げ、軒瓦を基準に棟に向かって頭と尻をオーバーラップさせるとともに、桁行き方向については衿側と桟側をオーバーラップさせるように順次葺いていく。このような従来の屋根瓦の葺き上げ工程について開示されている隣接技術は枚挙に遑がないが、例えば特許文献１の図３及び図７や特許文献２の図４等が挙げられる。
【特許文献１】特許第３４０７１１７号公報
【特許文献２】特開２００２−８８９８０号公報
【発明の開示】
【発明が解決しようとする課題】
【０００３】
建築構造において桁行き方向長さは柱や梁の長さに基づいて比較的狂い無く設計通りに収まるが、屋根の勾配に沿った流れ方向長さは屋根の勾配角度によってその長さが決まるタンジェント面であるため寸法誤差が生じやすい。
そのため、従来から屋根の勾配に沿った流れ方向について葺設の際にオーバーラップ量が調整できるようにした屋根瓦がある（例えば、上記特許文献２）。このような屋根瓦では実際の流れ方向長さに応じてオーバーラップ量を微妙に調整することが可能となっている。
また、瓦は焼成によって約一割程度収縮するのが一般的であるが、焼成温度や粘土の含水率、粘土の土質等の各種焼成条件によって縮み具合は均一ではなく、瓦においては焼成後の寸法公差がある程度大きくなることはやむを得ない。つまり瓦の寸法誤差は比較的大きいものとされている。このように瓦については寸法誤差が大きいことも従来流れ方向について葺設の際にオーバーラップ量の調整ができるようにした理由でもある。
【０００４】
一方、桁行き方向については主として作業性の向上のため、桟側と衿側とは所定のオーバーラップ量以上にはオーバーラップ量を増加させることができないような構成になっている。例えば、上記特許文献２の図６（ｂ）に示すように桟７は衿（差込部８）とオーバーラップするものの、段丘部１２（図６（ｂ）では段丘部１２の符号欠如）の側壁に突き当たりそれ以上の進出が阻まれている。つまり、隣接する屋根瓦のオーバーラップ量はすべて均一化されているため桁行き方向の寸法の算出は容易となっている。
ところが、焼成した瓦の寸法誤差の問題は屋根の桁行き方向についても同様に生ずる問題である。しかしながら、従来ではオーバーラップ量を減少させる方向に調整することは可能であるものの、上記のようにオーバーラップ量を増加させることはできない。そのため、屋根の桁行き方向についてオーバーラップ量を自在に、特にオーバーラップ量を増加させる方向に調整することができる技術が求められていた。
本発明はこのような従来の技術に存在する問題点に着目してなされたものである。その目的とするところは、屋根の桁行き方向についてオーバーラップ量を自在に調整することができる屋根瓦を提供することである。
【課題を解決するための手段】
【０００５】
上記の目的を達成するために請求項１に記載の発明では、瓦本体と、同瓦本体衿側の第１の側縁部と、同瓦本体桟側の第２の側縁部とを備え、同第１の側縁部には同瓦本体から溢れた雨水が流下する雨水流下溝が尻部から頭部にかけて形成されるとともに、同雨水流下溝と同瓦本体との連接位置に幅方向に所定の長さを有する連接部が形成された屋根瓦であって、敷設した際に屋根の桁行き方向において当該一の屋根瓦の前記第１の側縁部を隣接して葺かれた当該他の屋根瓦の前記第２の側縁部の下面にオーバーラップさせることで当該一の屋根瓦の前記雨水流下溝を同第２の側縁部によって上方から被覆するとともに、同被覆状態において同第２の側縁部を当該一の屋根瓦の前記連接部上に配置させることで当該他の屋根瓦を当該一の屋根瓦に対して桁行き方向に相対的に進退可能としたことをその要旨とする。
【０００６】
本発明の屋根瓦は瓦本体と、瓦本体衿側の第１の側縁部と、瓦本体桟側の第２の側縁部とを備えており、第１の側縁部には瓦本体から溢れた雨水が流下する雨水流下溝が尻部から頭部にかけて形成されている。そして、雨水流下溝と瓦本体との連接位置には幅方向に所定の長さを有する連接部が形成されている。
このような屋根瓦を葺設する際に、屋根の桁行き方向において当該一の屋根瓦の第１の側縁部を隣接して葺かれた当該他の屋根瓦の第２の側縁部の下面にオーバーラップさせることで当該一の屋根瓦の雨水流下溝を第２の側縁部によって上方から被覆する。その際にに、この被覆状態において第２の側縁部は当該一の屋根瓦の連接部上に配置されることとなる。配置とは第２の側縁部の裏面が連接部上面と接している場合も若干浮いている場合も含む概念である。当該他の屋根瓦の第２の側縁部は連接部上にあって、同連接部が幅方向に所定の長さを有しているため当該一の屋根瓦の雨水流下溝を被覆した状態で少なくともその幅の範囲において進退が可能となる。
【０００７】
また、請求項２に記載の発明では、瓦本体と、同瓦本体衿側の第１の側縁部と、同瓦本体桟側の第２の側縁部とを備え、同第１の側縁部には同瓦本体から溢れた雨水が流下する雨水流下溝が尻部から頭部にかけて形成されるとともに、同雨水流下溝と同瓦本体との連接位置に幅方向に所定の長さを有する連接部が形成され、敷設した際に屋根の流れ方向において上位に配置される瓦同士の前記両側縁部のオーバーラップ部が下位の瓦の桁行き方向略中央に配置されるように千鳥状に葺き上げられる屋根瓦であって、前記瓦本体の尻側上面略中央位置に係合フックを形成し、同係合フックを葺き上げ状態において上位に配置される瓦の前記第１又は第２の側縁部の側面側に形成された係合部と係合させて上位に配置される瓦の頭側の浮き上がりを防止させる一方、敷設した際に屋根の桁行き方向において当該一の屋根瓦の前記第１の側縁部を隣接して葺かれた当該他の屋根瓦の前記第２の側縁部の下面にオーバーラップさせることで当該一の屋根瓦の前記雨水流下溝を同第２の側縁部によって上方から被覆するとともに、同被覆状態において同第２の側縁部を当該一の屋根瓦の前記連接部上に配置させることで当該他の屋根瓦を当該一の屋根瓦に対して桁行き方向に相対的に進退可能とし、少なくとも当該他の屋根瓦の前記第２の側縁部先端が前記連接部上に配置されている状態では前記係合フックと係合部とが係合するようになっていることをその要旨とする。
【０００８】
本発明の屋根瓦は瓦本体と、瓦本体衿側の第１の側縁部と、瓦本体桟側の第２の側縁部とを備えており、第１の側縁部には瓦本体から溢れた雨水が流下する雨水流下溝が尻部から頭部にかけて形成されている。そして、雨水流下溝と瓦本体との連接位置には幅方向に所定の長さを有する連接部が形成されている。また、瓦本体の尻側上面略中央位置には係合フックが形成され、同係合フックを葺き上げ状態において上位に配置される瓦の第１又は第２の側縁部の側面側に形成された係合部に係合させて上位に配置される瓦の頭側の浮き上がりを防止するようにしている。
このような屋根瓦を葺設する際に、屋根の桁行き方向において当該一の屋根瓦の第１の側縁部を隣接して葺かれた当該他の屋根瓦の第２の側縁部の下面にオーバーラップさせることで当該一の屋根瓦の雨水流下溝を第２の側縁部によって上方から被覆する。その際にに、この被覆状態において第２の側縁部は当該一の屋根瓦の連接部上に配置されることとなる。配置とは第２の側縁部の裏面が連接部上面と接している場合も若干浮いている場合も含む概念である。当該他の屋根瓦の第２の側縁部は連接部上にあって、同連接部が幅方向に所定の長さを有しているため当該一の屋根瓦の雨水流下溝を被覆した状態で少なくともその幅の範囲において進退が可能となる。そして、少なくとも当該他の屋根瓦の第２の側縁部先端が連接部上に配置されている状態では係合フックと係合部とが係合状態にあるものとする。これによって、当該他の屋根瓦の第２の側縁部先端が連接部上に配置されていればオーバーラップ量の如何に関わらず係合フックと係合部とが係合状態となって浮き上がりは防止される。ここに、係合状態とは屋根瓦の浮き上がりが生じたときに係合すれば足り、両者が常時接していることを意味するものではない。係合フックの形状は特に限定されるものではない。また、係合部の位置や形状も特に限定されるものではない。
【０００９】
また、請求項３に記載の発明では請求項１又は２に記載の発明の構成に加え、前記連接部は前記瓦本体と前記雨水流下溝との連接位置に同瓦本体表面よりも盛り上がって形成された段丘部であることをその要旨とする。
これによって上記作用に加え、当該他の屋根瓦の第２の側縁部は瓦本体よりも高い位置に配置されることとなり、第２の側縁部に被覆される雨水流下溝の側壁（土手）の高さを段丘部の上部位置まで延長させることができ、雨水流下溝をより深く設計できるようになるため従来に比べより多くの雨水量の処理が可能となる。
また、請求項４に記載の発明では請求項１〜３のいずれかに記載の発明の構成に加え、前記桁行き方向でオーバーラップさせた状態で前記雨水流下溝の側壁上縁は前記第２の側縁部裏面に近接することをその要旨とする。
つまり、雨水流下溝の側壁上縁は第２の側縁部裏面に近接はするものの、接触することはない。これによって上記作用に加え、雨水流下溝内の雨水が第２の側縁部裏面から屋根瓦の裏側に伝わることがなく、漏水の可能性がより低くなる。
また、請求項５に記載の発明では請求項１〜４のいずれかに記載の発明の構成に加え、前記連接部上面には前記第２の側縁部端部の桁行き方向の位置の目安とするための目標が形成されていることをその要旨とする。
これによって上記作用に加え、目標と第２の側縁部端部との位置関係に基づいてオーバーラップ量がどのくらいであるか判断することが可能となる。目標の形状は限定されないが、頭から尻方向に延出される細溝状や細畝状の直線形状が好ましい。
【発明の効果】
【００１０】
上記各請求項の発明によれば屋根の桁行き方向における屋根瓦のオーバーラップ量を調整することができることとなる。
【発明を実施するための最良の形態】
【００１１】
以下、本発明の実施の形態について図面に基づいて説明する。尚、以下の説明において左右と言う場合は桁行き方向をいうものとする。また、屋根の流れ方向における軒側を前又は下とし、棟側を後又は上とするものとする。
（実施の形態１）
図１に示すように、屋根瓦としての本実施の形態１の平瓦１は平面略長方形形状をなした粘土製の板体とされている。平瓦１は大きく分けて瓦本体３と瓦本体３の左右両側に張り出し形成された衿側及び桟側の側縁部４,５の３つの部分から構成されている。但し、瓦本体３と衿側及び桟側の側縁部４,５は画一的に区切られるものではなく瓦本体３の両側寄りは側縁部４,５の一部と捉えることも可能である。このような左右方向の構成とは別に平瓦１の棟側を向いた後端寄りが尻側とされ軒側を向いた先端寄りが頭側とされている。尻及び頭は平瓦１において画一的に区切られるものではないが、本実施の形態１では上位の屋根瓦１が下位の屋根瓦１とオーバーラップする図１におけるＰ部分付近を尻部７とし、このＰ部分とオーバーラップするＱ部分付近を頭部８とする。頭部８側は先端ほど下垂するように湾曲状に形成されている。
【００１２】
瓦本体３は衿側及び桟側の側縁部４,５に挟持された平面長方形形状の外観を呈する一定の肉厚に形成された板体とされる。本実施の形態１では瓦本体３の大部分を占める平面部の上面を第１のベース面Ｂ１とし、裏面を第２のベース面Ｂ２とする。図１及び図５等に示すように、瓦本体３の左右方向中央頭部８寄り位置には上方にわずかに隆起した凸状部９が形成されている。図４に示すように、凸状部９の上面９ａは瓦本体３の上面となる第１のベース面Ｂ１に対して一段高い位置に配置されることとなる（図１及び図４参照）。凸状部９は裏面から見た場合には表面側に隆起した分だけ凹んで構成されている。凸状部９は平瓦１の強度アップを図るとともに平瓦１を屋根に葺き上げた際に下位の平瓦１のオーバーラップした側縁部４,５が納まる空間を構成する。瓦本体３の衿側の側縁部４との連接位置には前後に延びる段丘部１０が上方に盛り上がるように形成されている。段丘部１０は図４に示すように上面１０ａが平面に形成された略台形形状の断面を有する畝状部であって、上面１０ａには前後に延びる２本の平行な凹溝１１ａ，１１ｂが形成されている。図７に示すように、段丘部１０の上面１０ａの瓦本体３寄り角部１０ｂ及び両凹溝１１ａ，１１ｂが平瓦１をオーバーラップさせる際の目標となる目印（ｍ１，ｍ２，ｍ３）とされる。
尻部７側の最後端位置には左右方向に沿って瓦本体３に対して段違いとなるよう隆起した段差部１２が形成されている。段差部１２は段丘部１０と同じ高さに形成され、段丘部１０はその後方で段差部１２と一体的に接続されている。
図２、図３及び図６に示すように、段差部１１の後方には左右一対の三角形形状の尻剣部１４が下方に向かって突出形成されている。
【００１３】
衿側の側縁部４には雨水流下溝１５が形成されている。雨水流下溝１５は隣接する段丘部１０に沿って前後に延出される底板部１６と、底板部１６の外側縁沿って立設された側壁部１７と、底板部１６の後端縁に沿って立設された後壁部１８とから構成されている。側壁部１７及び後壁部１８の上縁となる上面１７ａ，１８ａは互いに同高さに構成されるとともに、図４、図６（ａ）（ｂ）及び図７に示すように段丘部１０の上面１０ａよりもわずかに低く構成されている。雨水流下溝１５内には段丘部１０と側壁部１７及び後壁部１８によって三方が包囲された樋が構成される。その結果、瓦本体３から溢れ、雨水流下溝１５に至った雨水は流下して下位の瓦本体３の第１のベース面Ｂ１上に至る。
桟側の側縁部５は瓦本体３の他方の側縁において前後に延びる長尺の長方形形状の板片とされている。同側縁部５は衿側の側縁部４の上面にオーバーラップして配置される。
図４に示すように、瓦本体３の底面となる第２のベース面Ｂ２から側縁部５の裏面５ａまでの高さＨ１と第２のベース面Ｂ２から段丘部１０の上面１０ａまでの高さＨ２は同じ高さとされている。
【００１４】
図２に示すように、桟側の側縁部５の裏面側であって先端寄りの最深部、すなわち桟側の側縁部５裏面に面した瓦本体３の側壁２０には係合部としての横長の係合凹部２１が形成されている。
図１〜図４、図７及び図９等に示すように、段差部１１の上面であって左右方向の中央位置から僅かに衿側の側縁部４に寄った位置には上方に盛り上がった支承突起２３が瓦本体３に一体成形によって形成されている。支承突起２３の上面には係合フック２４が釘２５によって取着されている。図１〜図３及び図６（ａ）（ｂ）に示すように、係合フック１７は衿側側縁部４方向に向かって水平に延出されている。
【００１５】
次にこのように構成された屋根瓦１によって屋根を葺き上げる際の施工作業の一例について説明する。
まず、屋根瓦１をふき下地を貼った屋根面まで運搬する。そして図５に示すように、屋根瓦１の桁行き方向においては尻剣部１４をふき下地の上に配設された桟木１９に引っかけながら当該屋根瓦１の衿側の側縁部４を隣接して配置された屋根瓦１の桟側の側縁部５の下面に挿入していく。そして、当該屋根瓦１の桟側の側縁部５の下面には次に葺かれる屋根瓦１の衿側の側縁部４を挿入する。図６（ａ）（ｂ）に示すように、桟側の側縁部５の裏面５ａはちょうど段丘部１０の上面１０ａに載置されることとなる。このようなオーバーラップによって雨水流下溝１５は常時桟側の側縁部５に被覆される。
以下、次々と屋根瓦１の衿側の側縁部４を隣接して配置された屋根瓦１の桟側の側縁部５の下面にオーバーラップさせて葺いていく。尚、葺設工程においてこれとは逆に衿側の側縁部４の上から桟側の側縁部５で覆うようにすることも可能である。
一方、屋根の流れ方向においては図５に示すように先に軒側（下位）の屋根瓦１から葺いていく。下位の屋根瓦１の尻部７の上面に上位の屋根瓦１の頭部８をオーバーラップさせるとともに、下位の屋根瓦１の衿側及び桟側の側縁部４、５のオーバーラップ部分に上位の屋根瓦１の凸状部９が配置されるように、つまり上位と下位の屋根瓦１が千鳥状に配置されるように葺き上げていく。
この際に図６（ａ）（ｂ）に示すように、上位の屋根瓦１を葺く場合には下位の屋根瓦１の係合フック２４が上位の屋根瓦１の瓦本体３の桟側の側壁２０に形成された係合凹部２１内に挿入されるように配置する。
【００１６】
さて、本実施の形態１では、桁行き方向におけるオーバーラップ量、つまり衿側の側縁部４に対する桟側の側縁部５の重複量については桟側の側縁部５が段丘部１０の上面１０ａに載置されていることから桁行き方向の調整が可能となっている。この調整する際の基準となる目印として、本実施の形態１では図７に示すように、ｍ１〜ｍ３の３種類が設定されている。ｍ１は段丘部１０の上面１０ａの瓦本体３寄り角部１０ｂであり、ｍ２は第１の溝１１ａ、ｍ３は第３の溝１１ｂである。作業者はこれらの目印を指標として桟側の側縁部５のオーバーラップ量を把握する。
例えば、計算上のオーバーラップ量としては桟側の側縁部５の先端を第１の溝１１ａ（ｍ２）位置に配置するつもりであったが、実際に仮置きしてみてこの位置では桁行き方向の両端の袖瓦の配置状況に影響があると判断した場合には、図６（ａ）あるいは（ｂ）のように角部１０ｂ（ｍ１）位置（オーバーラップ量増加）や第２の溝１１ｂ（ｍ３）位置（オーバーラップ量減少）に移動させることが可能となっている。尚、ちょうどこれらの目印上に桟側の側縁部５の先端が配置されなくてはいけないわけではない。
この時図６（ａ）（ｂ）に示すように、桟側の側縁部５の先端が段丘部１０の上面１０ａに載置されている状態では上位の屋根瓦１の係合凹部２１内に挿入された下位の屋根瓦１の係合フック２４は進出量の違いはあるものの、屋根瓦１の浮き上がりに対して常に係合フック２４が係合凹部２１と係合できるような進出位置に配設されることとなる。
【００１７】
このように構成することで本実施の形態１では次のような効果が奏される。
（１）当該屋根瓦１の衿側の側縁部４と隣接する屋根瓦１の桟側の側縁部５とがオーバーラップする際に、少なくとも雨水流下溝１５を常時桟側の側縁部５によって被覆させた状態で衿側の側縁部４に対して桟側の側縁部５は相対的に桁行き方向の調整が可能となっている。そのため、瓦１の寸法誤差に基づく葺き上がりの長さの調整が可能となっている。
（２）桟側の側縁部５は盛り上がった段丘部１０の上面１０ａに載置されるため、第２のベース面Ｂ２から側縁部５の裏面５ａまでの高さＨ１が従来に比べて高くなっている。そのため、この高さに合わせて雨水流下溝１５の溝の深さも深くする（つまり側壁部１７及び後壁部１８を高くすることができる）ことが可能となり、雨水流下溝１５の雨水処理量を向上させることが可能となる。
（３）オーバーラップ量を調整する際に目印ｍ１〜ｍ３に基づいて桟側の側縁部５の先端の進出位置を決定することが可能となり、オーバーラップ作業が軽減される。また、目分量で調整するのではないため、オーバーラップ量にばらつきがなくなる。
（４）オーバーラップ量が調整可能であるため隣接する屋根瓦１同士の相対位置は一定ではないものの、桟側の側縁部５の先端が段丘部１０の上面１０ａに載置されている状態では下位の屋根瓦１の係合フック２４は屋根瓦１の浮き上がりに対して常に係合フック２４が係合凹部２１と係合する位置に進出しているため、屋根瓦１の浮き上がりも確実に防止される。
（５）雨水流下溝１５の側壁部１７と後壁部１８の上面１７ａ，１８ａは側縁部５の裏面５ａに近接するものの、当接はしていない。そのため、雨水流下溝１５からフローした雨水が側縁部５の裏面５ａに回って漏水の原因となることがない。
【００１８】
（実施の形態２）
図８及び図９に基づいて実施の形態２について説明する。上記実施の形態１と同じ構成については図上同じ符号を付すことで詳しい説明は省略する。実施の形態２の洋瓦３１は大きく分けて瓦本体３３と瓦本体３３の左右両側に張り出し形成された衿側及び桟側の側縁部３４,３５の３つの部分から構成されている。このような左右方向の構成とは別に平瓦１の棟側を向いた後端寄りが尻側とされ軒側を向いた先端寄りが頭側とされている。但し、瓦本体３３と衿側及び桟側の側縁部３４,３５は画一的に区切られるものではなく瓦本体３３の両側寄りは側縁部３４,３５の一部と捉えることも可能である。尻及び頭は平瓦１において画一的に区切られるものではないが、本実施の形態２では上位の屋根瓦１が下位の屋根瓦１とオーバーラップする図１におけるＰ部分付近を尻部７とし、このＰ部分とオーバーラップするＱ部分付近を頭部８とする。頭部８側は先端ほど下垂するように湾曲状に形成されている。瓦本体３３と衿側の側縁部３４との連接位置には瓦本体３３上面（第１の基準面Ｂ１）よりも一段低い前後方向に延出された低床部３６が形成されている。
衿側の側縁部３４には衿側の側縁部４には雨水流下溝３７が形成されている。雨水流下溝３７は隣接する低床部３６に沿って前後に延出される底板部３８と、底板部３８の外側縁沿って立設された側壁部３９と、底板部３８の後端縁に沿って立設された後壁部４０とから構成されている。低床部３６の上面３６ａ、側壁部３９及び後壁部４０の上縁となる上面３９ａ，４０ａは互いに同高さに構成されている。実施の形態２では実施の形態１のような浮き上がり防止用の構成（係合フック２４と係合凹部２１）は設けられていない。
このような構成の洋瓦３１でも図９に示すように桁行き方向におけるオーバーラップ量、つまり衿側の側縁部３４に対する桟側の側縁部３５のオーバーラップ量については桟側の側縁部３５が低床部３６の上面３６ａに載置されていることから上面３６ａの幅Ｌの範囲において（但し、桟側の側縁部３５が低床部３６から脱落しない範囲で）桁行き方向の調整が可能となっている。尚、側縁部３５の裏面３５ａに雨水流下溝３７の側壁部３９及び後壁部４０の上面３９ａ，４０ａは近接している。
【００１９】
尚、この発明は、次のように変更して具体化することも可能である。
・上記実施の形態１では支承部としての支承突起２３に釘２５によって係合フック２４を取着するようにしていたが支承部への取着手段は上記に限定されず適宜変更可能である。つまり、釘２５を使わなくともよい。また、係合フック自体を屋根瓦１に一体成形で形成するようにしてもよい。
・係合フックの形状、取着位置や向きは上記に限定されず適宜変更可能である。また、係合部２１の形状や位置も上記に限定されず適宜変更可能である。
・上記各実施の形態では平瓦や洋瓦に応用した一例を説明したが、他の瓦に応用することも自由である。また、葺き方も上記実施の形態１のように千鳥状に葺いても流れ方向に直列に葺いても構わない。
その他本発明の趣旨を逸脱しない範囲で変更した態様で実施することは自由である。
【図面の簡単な説明】
【００２０】
【図１】実施の形態１の屋根瓦の斜視図。
【図２】同じ屋根瓦の左側面図。
【図３】同じ屋根瓦の右側面図。
【図４】図３のＡ−Ａ線における横断面図。
【図５】実施の形態１の屋根瓦の施工作業を説明する説明図。
【図６】（ａ）及び（ｂ）は実施の形態１の屋根瓦を葺いた状態における各屋根瓦のオーバーラップ状態を説明する部分横断面図。
【図７】桟側の側縁部と衿側の側縁部とのオーバーラップ状態を説明する部分拡大断面図。
【図８】実施の形態２の屋根瓦の斜視図。
【図９】実施の形態２の屋根瓦を葺いた状態における各屋根瓦のオーバーラップ状態を説明する部分横断面図。
【符号の説明】
【００２１】
１…屋根瓦、３…瓦本体、４…衿側の側縁部、５…桟側の側縁部、１０…連接部としての段丘部、１５…雨水流下溝、３３…瓦本体、３４…衿側の側縁部、３５…桟側の側縁部、３６…連接部としての低床部。
【図１】
2006291515.tif 000003
【図２】
2006291515.tif 000004
【図３】
2006291515.tif 000005
【図４】
2006291515.tif 000006
【図５】
2006291515.tif 000007
【図６】
2006291515.tif 000008
【図７】
2006291515.tif 000009
【図８】
2006291515.tif 000010
【図９】
2006291515.tif 000011